(57)【要約】【課題】  柱上設備の重みによる損傷を防止できる柱上設備用の装柱具を提供することを課題とする。【解決手段】  柱状のアーム体２と、アーム体２に外嵌する凹状の外嵌部３０、及び該外嵌部３０に設けられ且つ変圧器を保持可能な保持部３１を有する取付具３と、取付具３をアーム体２に固定する固定手段４と、アーム体２に対して取付具３を回り止めする回止手段５とを備え、固定手段４は、取付具３とアーム体２とに挿通される固定用軸部を有し、回止手段５は、取付具３とアーム体２とに対する固定用軸部の挿通方向と同方向で取付具３とアーム体２とに挿通される回止用軸部を有する柱上設備用の装柱具。【選択図】図４
2019154151.tif 000002
【特許請求の範囲】
【請求項１】
柱状構造物に固定される柱状のアーム体と、前記アーム体に外嵌する凹状の外嵌部、及び該外嵌部に設けられ且つ変圧器を保持可能な保持部を有する取付具と、前記取付具を前記アーム体に固定する固定手段と、前記アーム体に対して前記取付具を回り止めする回止手段と、を備え、前記固定手段は、前記取付具と前記アーム体とに挿通される固定用軸部を有し、前記回止手段は、前記取付具と前記アーム体とに対する固定用軸部の挿通方向と同方向で前記取付具と前記アーム体とに挿通される回止用軸部を有する柱上設備用の装柱具。
【請求項２】
中空状に形成された前記アーム体内に配置される補強部材を備え、前記補強部材は、前記アーム体内に配置された状態において、前記アーム体の長手方向に対して直交する方向で並ぶように配置される両端が前記アーム体の内面に直接的又は間接的に突き当たるように構成される請求項１に記載の柱上設備用の装柱具。
【請求項３】
前記固定手段は、前記固定用軸部を構成する雄ねじ部を有する固定用ボルトと、前記固定用ボルトの前記雄ねじ部に螺合可能な固定用ナットとを備え、前記補強部材には前記固定用ボルトの前記雄ねじ部が挿通され且つ前記補強部材と前記固定用ボルトのそれぞれの軸線方向が一致している請求項２に記載の柱上設備用の装柱具。
【請求項４】
前記回止用軸部は、前記固定用軸部よりも前記外嵌部の解放端側で前記外嵌部に挿通される請求項１乃至請求項３の何れか１項に記載の柱上設備用の装柱具。
【発明の詳細な説明】
【技術分野】
【０００１】
本発明は、柱状構造物に変圧器等の柱上設備を設置するための柱上設備用の装柱具に関する。
【背景技術】
【０００２】
従来、上述の装柱具には、例えば、特許文献１に示すように、柱状構造物（例えば、電柱）に固定される柱状のアーム部と、該アーム部に取り付けられた状態で変圧器を保持する保持部と、を備えている。
【０００３】
アーム部は、角筒状に形成されており、電柱側に向けて配置される背面部と、該背面部の前方に位置する前面部とを有する。
【０００４】
保持部は、アーム部に上方から外嵌するコの字状の取付部と、該取付部上に設けられ且つ変圧器を係止させるための係止部と、取付部をアーム部に固定するための固定手段と、を有する。
【０００５】
係止部に係止させた変圧器は、アーム部の前方、より具体的には、アーム部の長手方向における端部の斜め前方に配置される。
【０００６】
固定手段は、前記背面部と前記前面部とが並ぶ前後方向において取付部とアーム部とに挿通されるボルトと、該ボルトに螺合させることでアーム部と取付部とを締結する複数のナットとで構成されている。
【０００７】
そのため、上記装柱具は、アーム部に取付部を被せた後に、取付部とアーム部とにボルトを挿通させながら該ボルトにナットを螺合させることによって組み立てられている。
【先行技術文献】
【特許文献】
【０００８】
【特許文献１】特許第５０６３５２２号公報
【発明の概要】
【発明が解決しようとする課題】
【０００９】
ところで、上記従来の装柱具では、組立作業時において保持部をアーム部に対して簡単に配置できるようにすべく、取付部がコの字状に形成されているが、取付部とアーム部とには固定手段のボルトのみが挿通されている。
【００１０】
また、上記従来の装柱具では、取付部の状態や、アーム部の状態、アーム部への取付部の配置作業の仕方によっては取付部とアーム部との間に隙間が生じる場合があり、この場合、取付部に変圧器の重みが加わると、該取付部が固定手段のボルトの軸線を中心とする周方向で回転する結果、アーム部が取付部に押圧されてひび割れてしまうことがあり、特にアーム部が樹脂製である場合は、かかる問題がより顕著になる。
【００１１】
そこで、本発明は、かかる実情に鑑み、柱上設備の重みによる損傷を防止できる柱上設備用の装柱具を提供することを課題とする。
【課題を解決するための手段】
【００１２】
本発明の柱上設備用の装柱具は、柱状構造物に固定される柱状のアーム体と、前記アーム体に外嵌する凹状の外嵌部、及び該外嵌部に設けられ且つ変圧器を保持可能な保持部を有する取付具と、前記取付具を前記アーム体に固定する固定手段と、前記アーム体に対して前記取付具を回り止めする回止手段と、を備え、前記固定手段は、前記取付具と前記アーム体とに挿通される固定用軸部を有し、前記回止手段は、前記取付具と前記アーム体とに対する固定用軸部の挿通方向と同方向で前記取付具と前記アーム体とに挿通される回止用軸部を有する。
【００１３】
上記構成の柱上設備用の装柱具によれば、取付具の外嵌部とアーム体とには、固定用軸部と回止用軸部とが同方向で挿通されているため、変圧器の重みが外嵌部に加わっても、固定用軸部の軸心を中心とする周方向での外嵌部の回転が回止用軸部により抑制される。従って、前記柱上設備用の装柱具は、アーム体が外嵌部に押圧されて損傷することを抑えることができる。
【００１４】
また、本発明の柱上設備用の装柱具は、中空状に形成された前記アーム体内に配置される補強部材を備え、前記補強部材は、前記アーム体内に配置された状態において、前記アーム体の長手方向に対して直交する方向で並ぶように配置される両端が前記アーム体の内面に直接的又は間接的に突き当たるように構成されていてもよい。
【００１５】
かかる構成によれば、アーム体内において、アーム体の長手方向に対して直交する方向で並ぶように配置された補強部材の両端がアーム体の内面に直接的又は間接的に突き当たるように構成されるため、アーム体に圧縮力が加わった際に該圧縮力を補強部材で受けることができる。従って、アーム体の圧縮力に対する耐久性を向上させることができる。
【００１６】
この場合、前記固定手段は、前記固定用軸部を構成する雄ねじ部を有する固定用ボルトと、前記固定用ボルトの前記雄ねじ部に螺合可能な固定用ナットとを備え、前記補強部材には前記固定用ボルトの前記雄ねじ部が挿通され且つ前記補強部材と前記固定用ボルトのそれぞれの軸線方向が一致していてもよい。
【００１７】
かかる構成によれば、固定用ボルトの雄ねじ部の軸線方向、すなわち、固定用ボルトの頭部と固定用ナットとが外嵌部を挟み込む方向と同方向で補強部材の両端がアーム体の内面に直接的又は間接的に当接するため、固定用ボルトと固定用ナットからの圧縮力も補強部材で受けることができる。
【００１８】
また、本発明の柱上設備用の装柱具において、前記回止用軸部は、前記固定用軸部よりも前記外嵌部の解放端側で前記外嵌部に挿通されていてもよい。
【００１９】
かかる構成によれば、固定用軸部から離れた位置でアーム体に対する取付具の回り止めをすることができるため、固定用軸部を中心とする取付具の回転が防止され易くなる。
【発明の効果】
【００２０】
以上のように、本発明の柱上設備用の装柱具は、柱上設備の重みによる損傷を防止できるという優れた効果を奏し得る。
【図面の簡単な説明】
【００２１】
【図１】図１は、本発明の一実施形態に係る柱上設備用の装柱具を前面部側から見た図である。
【図２】図２は、同実施形態に係る柱上設備用の装柱具を上面部側から見た図である。
【図３】図３は、同実施形態に係る柱上設備用の装柱具の取付具の正面拡大図である。
【図４】図４は、同実施形態に係る柱上設備用の装柱具の断面図であって、図３のＩＶ−ＩＶ線における断面図である。
【図５】図５は、同実施形態に係る柱上設備用の装柱具の説明図であって、使用状態の装柱具を背面側から見た説明図である。
【図６】図６は、同実施形態に係る柱上設備用の装柱具の説明図であって、使用状態の装柱具を上面側から見た説明図である。
【発明を実施するための形態】
【００２２】
以下、本発明の一実施形態に係る柱上設備用の装柱具（以下、装柱具と称する）について添付図面を参照しつつ説明を行う。
【００２３】
装柱具は、柱状構造物（本実施形態では電柱）に柱上設備を設置する際に用いられるものである。なお、本実施形態では、図５、及び図６に示すように、柱上設備としての変圧器（柱上変圧器）Ｄを電柱Ｓに設置することを前提として装柱具１の説明を行うこととする。また、本実施形態に係る装柱具１は、変圧器Ｄの下端部側を支持する下側支持部７と共に用いられていてもよく、この場合、装柱具１には変圧器Ｄの上端部側が掛止される。
【００２４】
装柱具１は、図１、及び図２に示すように、電柱Ｓに固定される柱状のアーム体２と、該アーム体２に変圧器を取り付ける取付具３と、該取付具３をアーム体２に固定するための固定手段４と、アーム体２に対する取付具３の回り止めをするための回止手段５（図１参照）と、アーム体２を補強するための補強部材６（図４参照）と、を備えている。
【００２５】
アーム体２は、樹脂製（例えば、ＦＲＰ製）である。アーム体２は、中空状である。より具体的に説明すると、アーム体２には、長手方向と同方向で貫通する貫通孔が形成されている。
【００２６】
本実施形態に係るアーム体２は、角筒（四角筒状）であり、図４に示すように、電柱Ｓに対向配置される背面部２０と、該背面部２０の前方に位置する前面部２１と、電柱Ｓに固定された状態で上方に配置される上面部２２と、電柱Ｓに固定された状態で下方に配置される下面部２３と、を有する。
【００２７】
アーム体２は、水平な姿勢（自身の長手方向が水平方向と対応又は略対応している姿勢）で電柱Ｓに固定される。また、本実施形態では、アーム体２の長手方向における中央部が電柱Ｓに対して固定されている。なお、アーム体２には、例えば、図６に示すように、電柱Ｓに固定するための固定用金具Ｍが取り付けられていてもよい。
【００２８】
取付具３は、図３に示すように、アーム体２に外嵌される外嵌部３０と、該外嵌部３０に設けられた保持部３１であって、変圧器を保持するための保持部３１と、を有する。
【００２９】
外嵌部３０は、上方からアーム体２に被せて配置されるように構成されている。本実施形態に係る外嵌部３０は、図４に示すように、板状であり且つ互いに間隔（アーム体２を配置可能な間隔）をあけて対向配置される一対の対向部３００と、該一対の対向部３００の隣り合う一端縁のそれぞれに接続された接続部３０１と、を有する。
【００３０】
接続部３０１からは一対の対向部３００が同方向に延出している。そのため、外嵌部３０は、一対の対向部３００と接続部３０１とにより一つの凹部が形成されており、この凹部内にアーム体２が配置されるように構成されている。なお、本実施形態において、一対の対向部３００と接続部３０１とは一体物である。
【００３１】
そして、外嵌部３０がアーム体２に被せられると、一対の対向部３００のうちの一方の対向部３００がアーム体２の前面部２１に対して対向配置され、他方の対向部３００がアーム体２の前面部２１に対して対向配置され、接続部３０１がアーム体２の上面部２２に対して対向配置される。
【００３２】
保持部３１は、接続部３０１（接続部３０１の外面）に立設されている。保持部３１は、アーム体２を境として電柱Ｓとは反対側に変圧器を保持するように構成されている。さらに、保持部３１によって保持されている変圧器は、平面視においては、一部がアーム体２の端部よりも外側にずれた位置に配置されている（図６参照）。
【００３３】
固定手段４は、取付具３とアーム体２とに挿通される固定用ボルト４０と、該固定用ボルト４０の雄ねじ部４００に螺合可能な固定用ナット４１と、を備えている。
【００３４】
固定用ボルト４０の雄ねじ部４００は、アーム体２の背面部２０と前面部２１とが並ぶ前後方向において、外嵌部３０の各対向部３００とアーム体２の背面部２０と前面部２１とに挿通されている。すなわち、固定用ボルト４０の雄ねじ部４００は、取付具３とアーム体２とに挿通される固定用軸部でもある。
【００３５】
固定用ナット４１は、外嵌部３０の各対向部３００とアーム体２の背面部２０と前面部２１とに挿通された固定用ボルト４０の雄ねじ部４００に螺合される。
【００３６】
そのため、固定手段４は、固定用軸部によりアーム体２に対して取付具３を位置決めし、固定用ボルト４０の頭部４０１と固定用ナット４１によって固定用軸部の取付具３及びアーム体２からの脱落を防止しているともいえる。
【００３７】
なお、背面部２０と前面部２１の両端部（アーム体２の長手方向における両端部）には、前記前後方向で対応する位置に貫通孔（以下、内側固定孔と称する）Ｈ１０が形成され、一対の対向部３００にも、前記前後方向で対応する位置に貫通孔（以下、外側固定孔と称する）Ｈ１１が形成されている。
【００３８】
また、本実施系形態に係る装柱具１では、アーム体２に外嵌部３０が被せることにより、背面部２０の内側固定孔Ｈ１０、前面部２１の内側固定孔Ｈ１０、一対の対向部３００の外側固定孔Ｈ１１を前記前後方向で対応する場所に位置合わせすることができるようになっており、背面部２０の内側固定孔Ｈ１０、前面部２１の内側固定孔Ｈ１０、一対の対向部３００のそれぞれの外側固定孔Ｈ１１に固定用ボルト４０の雄ねじ部４００が挿通されている。
【００３９】
回止手段５は、前記前後方向で取付具３とアーム体２とに挿通される回止用ボルト５０と、該回止用ボルト５０の雄ねじ部５００に螺合可能な回止用ナット５１と、を備えている。
【００４０】
回止用ボルト５０と固定用ボルト４０は、同方向で取付具３とアーム体２とに挿通されている。
【００４１】
また、回止用ボルト５０は、固定用ボルト４０よりも対向部３００の先端側（接続部３０１を基準とした場合の対向部３００の先端側）に位置している。より具体的に説明すると、回止用ボルト５０は、固定用ボルト４０の下方側で一対の対向部３００、背面部２０、前面部２１に挿通されている。
【００４２】
回止用ナット５１は、外嵌部３０の各対向部３００とアーム体２の背面部２０と前面部２１とに挿通された回止用ボルト５０の雄ねじ部５００に螺合される。
【００４３】
そのため、回止手段５においても、回止用ボルト５０の雄ねじ部５００で構成される回止軸部が、回止用ボルト５０の頭部５０１と回止用ナット５１によって取付具３及びアーム体２に対する脱落が防止されているといえる。
【００４４】
なお、背面部２０と前面部２１の両端部（アーム体２の長手方向における両端部）には、内側固定孔Ｈ１０の下方側に別の貫通孔（以下、内側回止孔と称する）Ｈ２０が形成され、一対の対向部３００には、外側固定孔Ｈ１１の下方側に別の貫通孔（以下、外側回止孔と称する）Ｈ２１が形成されている。
【００４５】
また、本実施系形態に係る装柱具１では、アーム体２に外嵌部３０を被せることにより、背面部２０の内側回止孔Ｈ２０、前面部２１の内側回止孔Ｈ２０、一対の対向部３００の外側回止孔Ｈ２１を前記前後方向で対応する場所に位置合わせすることができるようになっており、背面部２０の内側回止孔Ｈ２０、前面部２１の内側回止孔Ｈ２０、一対の対向部３００のそれぞれの外側回止孔Ｈ２１には回止用ボルト５０の雄ねじ部５００が挿通されている。すなわち、回止用ボルト５０の雄ねじ部５００は、取付具３とアーム体２とに挿通される回止用軸部でもある。
【００４６】
補強部材６は、筒状である。補強部材６は、アーム体２内に配置された状態において、軸線方向における一端がアーム体２の内面（前面部２１の内面）に直接的に当接し、軸線方向における他端がアーム体２の内面（背面部２０の内面）に間接的に当接している。なお、本実施形態では、補強部材６の前記他端が、背面部２０の内面にあてがった状態で配置されたプレート材Ｐに当接している。なお、プレート材Ｐは、長尺に形成され且つ自身の長手方向がアーム体２の長手方向に対応する姿勢でアーム体２内に配置されている。また、プレート材Ｐは、アーム体２が損傷した際に、該アーム体２の強度低下を抑えるための部材である。
【００４７】
本実施形態では、補強部材６の両端が並ぶ方向が、前面部２１と背面部２０とが並ぶ方向、一対の対向部３００が並ぶ方向、取付具３及びアーム体２に挿通した固定用ボルト４０の雄ねじ部４００の軸線方向、取付具３及びアーム体２に挿通した回止用ボルト５０の雄ねじ部５００の軸線方向、のそれぞれの方向に対応している。
【００４８】
さらに、本実施形態に係る補強部材６の内部には、固定用ボルト４０の雄ねじ部４００が挿通されている。
【００４９】
本実施形態に係る装柱具１の構成は、以上の通りである。
【００５０】
本実施形態に係る装柱具１によれば、取付具３の外嵌部３０とアーム体２とには、固定用軸部（固定用ボルト４０の雄ねじ部４００）と回止用軸部（回止用ボルト５０の雄ねじ部５００）とが同方向で挿通されているため、変圧器Ｄの重みが外嵌部３０に加わっても、固定用軸部を中心とする周方向での外嵌部３０の回転が回止用軸部により抑制される。
【００５１】
従って、例えば、取付具３やアーム体２の状態や、アーム体２への取付具３の配置作業の仕方の影響によって取付具３とアーム体２との間に隙間が生じた場合であっても、アーム体２が外嵌部３０に押圧されて損傷することを抑えることができる。
【００５２】
従って、装柱具１は、変圧器Ｄの重みによる損傷を防止できるという優れた効果を奏し得る。
【００５３】
また、装柱具１では、補強部材６の一方の端部と他方の端部とは、前記アーム体２の長手方向に直交する方向で並び、且つそれぞれが相反する方向でアーム体２の内面（前面部２１の内面）、アーム体２の内面（背面部２０の内面）にあてがわれたプレート材Ｐに当接しているため、アーム体２に加わった圧縮力を補強部材６で受けることにより、アーム体２の損傷を抑えることができる。
【００５４】
なお、本実施形態の補強部材６は、両端が前記前後方向で並ぶようにしてアーム体２内に配置されているため、変圧器Ｄの重みを受けた取付具３がアーム体２の軸線方向を中心とする周方向で動いた際に、外嵌部３０の一対の対向部３００からアーム体２に伝わる圧縮力（回転した対向部３００が外側からアーム体２を押圧する力）を補強部材６で受けることができる。
【００５５】
さらに、補強部材６には固定用ボルト４０の雄ねじ部４００が挿通され且つ補強部材６と固定用ボルト４０のそれぞれの軸線方向が一致していているため、固定用ボルト４０の雄ねじ部４００の軸線方向、すなわち、固定用ボルト４０の頭部４０１と固定用ナット４１とが外嵌部３０を挟み込む方向と同方向で補強部材６の一方の端部がアーム体２の内面に直接的に当接し、補強部材６の他方の端部がアーム体２の内面に間接的に当接しているため、アーム体２が固定用ボルト４０と固定用ナット４１とからの圧縮力を補強部材６で受けることができる。従って、固定手段４で取付具３をアーム体２に固定する際にアーム体２が損傷し難くなる。
【００５６】
そして、装柱具１では、回止用軸部が固定用軸部よりも外嵌部３０の先端（解放端）側で外嵌部３０に挿通されていているため、固定用軸部から離れた位置でアーム体２に対する取付具３の回り止めをすることができ、これにより、固定用軸部を中心とする取付具３の回転が防止され易くなる。
【００５７】
さらに、本実施形態に係る装柱具１の固定手段４は、固定用ボルト４０の頭部４０１が前記前後方向において外嵌部３０の外側に配置されているうえに、固定用ボルト４０を外嵌部３０及びアーム体２に対して抜け止めしている固定用ナット４１も前記前後方向において外嵌部３０の外側に配置されている。
【００５８】
そのため、固定手段４が取付具３とアーム体２とを直接的に締結しない構造とすることにより、固定用ボルト４０が前記前後方向で動いたとしても、アーム体２が固定手段４によって内側から外側に向けて押圧されること（押し広げられること）を防止できる。
【００５９】
なお、本発明の柱上設備用の装柱具は、上記一実施形態に限定されるものではなく、本発明の要旨を逸脱しない範囲において種々変更を行うことは勿論である。
【００６０】
上記実施形態において、装柱具１には、柱上設備としての変圧器Ｄが取り付けられていたが、この構成に限定されない。例えば、装柱具１には、変圧器Ｄ以外の柱上設備を取り付けることも可能である。
【００６１】
上記実施形態において、補強部材６の前記一端は、アーム体２の内面に直接的に当接していたが、この構成に限定されず、例えば、補強部材６の前記一端とアーム体２の内面との間には、別の部材が介在していても良い。
【００６２】
上記実施形態において、補強部材６の前記他端は、アーム体２の内面に間接的に当接していたが、この構成に限定されず、例えば、補強部材６の前記他端は、アーム体２の内面に対して直接的に当接していてもよい。
【符号の説明】
【００６３】
１…装柱具、２…アーム体、３…取付具、４…固定手段、５…回止手段、６…補強部材、７…下側支持部、２０…背面部、２１…前面部、２２…上面部、２３…下面部、３０…外嵌部、３１…保持部、４０…固定用ボルト、４１…固定用ナット、５０…回止用ボルト、５１…回止用ナット、３００…対向部、３０１…接続部、４００…雄ねじ部、４０１…頭部、５００…雄ねじ部、５０１…頭部、Ｄ…変圧器、Ｈ１０…内側固定孔、Ｈ１１…外側固定孔、Ｈ２０…内側回止孔、Ｈ２１…外側回止孔、Ｍ…固定用金具、Ｐ…プレート材、Ｓ…電柱
【図１】
2019154151.tif 000003
【図２】
2019154151.tif 000004
【図３】
2019154151.tif 000005
【図４】
2019154151.tif 000006
【図５】
2019154151.tif 000007
【図６】
2019154151.tif 000008